(57)【要約】【課題】おにぎりの包装に際しておにぎりを所定位置に容易に配置できるようにするとともに、用意するおにぎりの大きさが予測できるようにし、おにぎりの包装を手間をかけることなく、正しい形態に包装できるようにする。これにより家庭等において海苔巻きおにぎり等の包装体が容易に作れるようにする。【解決手段】内部にシート状食品１７を挟む２層構造で、その裏面側に配置されるおにぎり２０を包み、かつ、その包んだ状態において両側に分離離脱されることでおにぎり２０をシート状食品１７で被着された状態とするおむすびの包装材１において、おにぎり２０が配置される際の案内位置マーク１６が付されてなるもの。【選択図】  図１
2005153998.tif 000002
【特許請求の範囲】
【請求項１】
内部にシート状食品を挟む２層構造で、その裏面側に配置されるおにぎりを包み、かつ、その包んだ状態において両側に分離離脱されることでおにぎりをシート状食品で被着された状態とするおむすびの包装材において、
前記おにぎりが配置される際の案内位置マークが付されてなることを特徴とするおむすびの包装材。
【請求項２】
前記シート状食品が配置される際の案内位置マークが付されてなることを特徴とする請求項１記載のおむすびの包装材。
【発明の詳細な説明】
【技術分野】
【０００１】  この発明は家庭等で海苔巻きおむすび等の包装体を作るためのおむすびの包装材に関する。
【背景技術】
【０００２】  コンビニエンスストア等で販売される海苔巻きおにぎりは、その間に海苔が介装された２層の樹脂シートにより包装され、取り出し時にその樹脂シートが両側に分離されることで海苔がにぎり飯に被着されるようになっている。このようにして、「ぱりっ」とした食感の海苔が巻かれた美味しいおにぎりが食べることができるようにしている。これに対応して、最近では家庭でもランチ用等に同様の海苔巻きおむすびを作ることがなされている。すなわち、上記の市販されるおにぎりの包装材と同様の包装材を購入して家庭でおにぎり、のりを用意して包装している。しかしながら、現状ではおにぎりの位置合わせ等で包装に手間がかかり、また、うまく包装できていない場合にはおにぎりの取り出しがうまくいかなかったり、取り出したおにぎりに海苔が正しく被着されない問題がある。
【発明の開示】
【発明が解決しようとする課題】
【０００３】  この発明は、家庭等において海苔巻きおにぎり等の包装を容易にできる包装材を提供することを目的とする。
【課題を解決するための手段】
【０００４】  この発明では、内部にシート状食品を挟む２層構造で、その裏面側に配置されるおにぎりを包み、かつ、その包んだ状態において両側に分離離脱されることでおにぎりをシート状食品で被着された状態とするおむすびの包装材において、前記おにぎりが配置される際の案内位置マークが付されてなる構成とした。【０００５】  上記構成によれば、おにぎりの包装に際し、おにぎりを案内位置マークを案内として所定位置に容易に配置できる。また、その案内位置マークより用意するおにぎりの大きさが予測できる。【０００６】  さらに、シート状食品が配置される際の案内位置マークを付すことで、海苔等のシート状食品を所定位置に容易に配置できる。【０００７】  案内位置マークは印刷、シールのラミネート等適宜の方法によって適宜の形態において付されればよく、その付される位置も案内機能を果す位置であれば適宜であってよい。
【発明の効果】
【０００８】  この発明によれば、おにぎりの包装に際しておにぎりを所定位置に容易に配置できるようになり、かつ、用意するおにぎりの大きさが予測できることで、おにぎりの包装を手間をかけることなく、正しい形態に包装できるようになる。その結果、おにぎりの取り出しがスムーズにできるようになるとともに、海苔等が適正に巻かれたおにぎりが得られる。
【発明を実施するための最良の形態】
【０００７】  図１はこの発明のおむすび包装材の平面図、図２は展開分離図、図３は横方向断面図である。包装材１は、図２に示すように、２枚の透明の樹脂シート２、３よりなる。表面側の樹脂シート２は一方側において裏面側に折り返され、図３に示すように、その端縁部分２ａは包装材１表面巾の略中央位置に至る。裏面側の樹脂シート３は包装材１表面巾の略半分巾でその中央側の端縁部分３ａを上記表面側の樹脂シート２の表面部分と端縁部分２ａ間に挟まれるように位置し、側方側の端縁部分３ｂは樹脂シート２の表面側の端縁部分２ｂより内側となるように位置している。樹脂シート３としては表面が若干粗い構成のものを用いている。上記のように配置された２枚の樹脂シート２、３が上縁部６、下縁部７位置それぞれで固着されることで一体とされている。【０００８】  樹脂シート２の表面側部分の内面にはその中央位置に縦方向に分離用帯体８が一体に付着されており、その分離用帯体８の上部位置において２枚の樹脂シート２、３には一体に切り込み部９が形成されている。さらに、樹脂シート２の表面にはおにぎり味表示部１１、３個のおにぎり取り出し案内番号１２、取り出し説明１３、取り出し説明図１４、点線状の海苔の配置ための案内位置マーク１５、８個のおにぎりの配置のための案内位置マーク１６それぞれが印刷により付されている。それらの印刷インクとしては印刷表面にマジックインキ等での記載が可能となるように白色特殊インクを用いられ、これにより味表示部１１に「こんぶ」「さけ」等内部ににぎり込む材料の筆記表示が行なえるようになっている。【０００９】  以下、上記包装材１によるおにぎりの包装作業を説明する。包装材１を、図４に示すように、裏面側を上として置き、まずシート状食品である海苔１７を左側から、図５に示すように、樹脂シート２に付された案内位置マーク１５に沿う位置まで樹脂シート２、３間に差し入れる。その際樹脂シート３の側方側の端縁部分３ｂが樹脂シート２の表面側の端縁部分２ｂより内側とされていることで、その差し入れが端縁部分２ｂを案内として容易に行なわれる。また、端縁部分３ａが樹脂シート２の表面部分と端縁部分２ａ間に挟まれるよう位置されていることで、差し入れられる海苔１７の側縁が樹脂シート２の端縁部分２ａの縁面に衝突することがなく、このことによっても差し入れが容易に行なわれる。海苔１７としてはその配置位置まで差し入れた際にその３つの縁がその海苔１７の案内位置マーク１５に沿い、かつ、後縁１７ａが樹脂シート３の端縁部分３ｂにほぼ相対するような大きさのものを使用する。【００１０】  次に別途作った三角形状のおにぎり２０を、海苔１７の入った包装材１上に案内位置マーク１６を案内として倒した状態に配置する。すなわち、おにぎりの案内位置マーク１６は上部、下部、両側部に２個づつ設けられているが、この包装方法においては両側部のものの上側の２個のものをつなぐ仮想線Ｘ位置におにぎり２０の下側を合わせ、かつ、案内位置マーク１６の上下部それぞれのものつなぐ２本の仮想線Ｚ間におにぎり２０を納めるように配置する。おにぎり２０はそれらおにぎりの案内位置マーク１６位置から予測される大きさのものを作る。上記のようにして、案内���置マーク１５、案内位置マーク１６それぞれが設けられていることで、それらを目安として作られた適正な大きさの海苔１７、おにぎり２０を容易に所定位置に配置することができる。【００１１】  上記のようにおにぎり２０を配置した状態において、海苔１７の挟まれた包装材１の下部１ａをおにぎり２０上に折り重ねるとともにその両角部１ｂそれぞれをおにぎり２０の傾斜面それぞれの上に折り込み、さらに、包装材１の上角部１ｃそれぞれをおにぎり２０上に折り重ねるとともに、それら部分をシール２１により固定して、図６に示すようなおにぎりの包装体３０を得る。上記シール２１には、表面に内部ににぎり込む材料の表示２２がなされるとともに上下縁に切り裂き用切り込み２３が設けられ、このようなシール２１を用いることで味表示部１１への筆記表示を省略できる。【００１２】  おにぎり２０の取り出しは、おにぎりの包装体３０の表側において、上部に位置する樹脂シート２の切り込み部９部分を分離用帯体８と一体に持ち下方に引き下ろしさらに裏側に回すことで樹脂シート２を切り裂き、これにより分離された包装材１を左右に取り外すことで海苔１７が表面に被着されたおにぎり２０が取り出される。【００１３】  上記の取り出し動作は、取り出し説明１３を参照しながら取り出し案内番号１２の番号の順にその矢印方向に沿って行ない、包装材１の両側への分離は先に樹脂シート３を一体とする側を引き抜くように取り外すことで行う。樹脂シート３は上記したように表面が若干粗い構成であるのでおにぎり２０面に密着せず、したがってその取り外しがスムーズになされる。そして、包装材１の樹脂シート３を一体とする側を取り外すことで露呈する海苔１７が被着されたおにぎり２０の片側を持ち、包装材１の他方側を引き抜くように取り外す。その際樹脂シート２がおにぎり２０面にある程度密着していても、引き出す側において海苔１７がおにぎり２０面に強固に張り付くことで、樹脂シート２とおにぎり２０面を離反させて包装材１の他方側を取り外すことができる。【００１３】  また、上記樹脂シート２の切り裂きに際しては同時にシール２１も切り裂かれるが、その際上記したようにシール２１に切り裂き用切り込み２３が設けられていることでその切り裂き動作がス厶ーズになされる。【００１４】  上記のおにぎり２０の包装に際しては、上記したように包装材１上に倒すことなく立設することでも行なえる。その場合は、案内位置マーク１６の両側のものの上側の２個のものをつなぐ仮想線Ｘ位置、下側の２個のものをつなぐ仮想線Ｙ位置の両位置間におにぎり２０を立設し、そのおにぎり２０の両側に沿うように包装材１の上下部を折り曲げて立ち上げ、その合わせたものの両角部をおにぎり２０の一方の面上に折り重ね包装する。上記仮想線Ｘ位置と仮想線Ｙ位置の両位置間距離Ｌはおにぎり２０の巾に相当するように設定されており、この両位置間距離Ｌによっても用意するおにぎり２０の大きさが分かる。
【図面の簡単な説明】
【図１】この発明の包装材の実施形態の平面図
【図２】この発明の包装材の実施形態の展開分離図
【図３】この発明の包装材の実施形態の横方向断面図
【図４】この発明の包装材の実施形態の裏面図
【図５】この発明の包装材による包装工程説明図
【図６】この発明の包装材を使用した包装体の実施形態の裏面図
【符号の説明】
１  包装材
２  樹脂シート
３  樹脂シート
１６  案内位置マーク
１７  海苔（シート状食品）
２０  おにぎり
【図１】
2005153998.tif 000003
【図２】
2005153998.tif 000004
【図３】
2005153998.tif 000005
【図４】
2005153998.tif 000006
【図５】
2005153998.tif 000007
【図６】
2005153998.tif 000008